(57)【要約】【課題】タッチしているペンの近傍で別のタッチを検出すると、ペンの種類を容易に変更できるデジタル・マーキング装置の特性設定方法を提供する。【解決手段】デジタル・マーキング装置に関連する特性を設定するための方法である。デジタル・マーキング・サーフェス１０２と併せたデジタル・マーキング装置２０２の作動と、および第１のタッチジェスチャ３０６とを同時に検知した場合、描画コンテキストに従って第１のタッチジェスチャを解釈する。続いて、第１のタッチジェスチャの解釈に応じて、デジタル・マーキング装置に関連する特性を設定することを含む。【選択図】図３
2014063488.tif 000002
【特許請求の範囲】
【請求項１】
デジタル・マーキング装置に関連する特性を設定するための方法であって、
デジタル・マーキング・サーフェスと併せた前記デジタル・マーキング装置のタッチと、および第１のタッチジェスチャとを同時に検知した場合、
描画コンテキストに従って前記第１のタッチジェスチャを解釈し、
前記第１のタッチジェスチャの前記解釈に応じて、前記デジタル・マーキング装置に関連する特性を設定することを含む、方法。
【請求項２】
前記デジタル・マーキング装置に関連する特性は、マークの色、マークの不透明度、マークの濃さ、線種、マークの透明度、色塗りつぶし、パターン塗りつぶし、縁の種類、およびマークの消去からなるグループから選択される、請求項１に記載の方法。
【請求項３】
前記特性を、前記デジタル・マーキング・サーフェス上の第１のデジタルマークに適用することをさらに含む、請求項１に記載の方法。
【請求項４】
前記第１のデジタルマークが、前記第１のタッチジェスチャを検知する前に前記デジタル・マーキング・サーフェス上に存在している、請求項３に記載の方法。
【請求項５】
前記第１のデジタルマークが、前記第１のタッチジェスチャを検知した後で前記デジタル・マーキング・サーフェス上に作成される、請求項３に記載の方法。
【請求項６】
前記デジタル・マーキング・サーフェスが、デジタル・ホワイトボード、サーフェイス・コンピュータおよびタブレット・コンピューティング装置からなるグループから選択された装置に関連する、請求項１に記載の方法。
【請求項７】
第２のタッチジェスチャを検知したが、前記デジタル・マーキング装置のタッチを検知しない場合、
非描画コンテキストに従って前記第２のタッチジェスチャを解釈することをさらに含む、請求項１に記載の方法。
【請求項８】
デジタル・マーキング装置に関連する特性を設定するための方法であって、
デジタル・マーキング・サーフェスと併せたデジタル・マーキング装置のタッチを検知し、
前記デジタル・マーキング・サーフェス上に、描画コンテキスト・タッチジェスチャ近接領域インジケータを表示し、
前記デジタル・マーキング装置が前記デジタル・マーキング・サーフェスと併せてタッチし、第１のタッチジェスチャを、前記描画コンテキスト・タッチジェスチャ近接領域インジケータに関連する描画コンテキスト・タッチジェスチャ近接領域内で検知した場合、
描画コンテキストに従って前記タッチジェスチャを解釈し、
前記タッチジェスチャの前記解釈に応じて、前記デジタル・マーキング装置に関連する特性を設定することを含む、方法。
【請求項９】
前記デジタル・マーキング装置に関連する特性は、マークの色、マークの不透明度、マークの濃さ、線種、マークの透明度、色塗りつぶし、パターン塗りつぶし、縁の種類、およびマークの消去からなるグループから選択される、請求項８に記載の方法。
【請求項１０】
前記特性を、前記デジタル・マーキング・サーフェス上の第１のデジタルマークに適用することをさらに含む、請求項８に記載の方法。
【請求項１１】
前記第１のデジタルマークが、前記第１のタッチジェスチャを検知する前に前記デジタル・マーキング・サーフェス上に存在している、請求項１０に記載の方法。
【請求項１２】
前記第１のデジタルマークが、前記第１のタッチジェスチャを検知した後で前記デジタル・マーキング・サーフェス上に作成される、請求項１０に記載の方法。
【請求項１３】
前記デジタル・マーキング・サーフェスが、デジタル・ホワイトボード、サーフェイス・コンピュータおよびタブレット・コンピューティング装置からなるグループから選択された装置に関連する、請求項８に記載の方法。
【請求項１４】
第２のタッチジェスチャを検知したが、前記デジタル・マーキング装置のタッチを検知しない場合、
非描画コンテキストに従って前記第２のタッチジェスチャを解釈することをさらに含む、請求項８に記載の方法。
【請求項１５】
前記描画コンテキスト・タッチジェスチャ近接領域インジケータは、前記描画コンテキスト・タッチジェスチャ近接領域の周辺を示す、請求項８に記載の方法。
【請求項１６】
前記描画コンテキスト・タッチジェスチャ近接領域は、デジタル・マーキング装置の作動ポイントを中心とする円形領域である、請求項１５に記載の方法。
【請求項１７】
前記描画コンテキスト・タッチジェスチャ近接領域は、１組のデジタルマークと前記デジタル・マーキング装置の作動ポイントを包含する多角形の閉じた領域である、請求項１５に記載の方法。
【請求項１８】
タッチコンタクトを前記描画コンテキスト・タッチジェスチャ近接領域内で検知した場合、前記描画コンテキスト・タッチジェスチャ近接領域インジケータを修正することをさらに含む、請求項８に記載の方法。
【請求項１９】
前記第１のタッチジェスチャの検知に応じて、前記修正された描画コンテキスト・タッチジェスチャ近接領域インジケータを修正することをさらに含む、請求項１８に記載の方法。
【請求項２０】
前記第１のタッチジェスチャの検知に応じて、前記描画コンテキスト・タッチジェスチャ近接領域インジケータを修正することをさらに含む、請求項８に記載の方法。
【請求項２１】
デジタル・マーキング装置に関連する特性を設定するための方法であって、
デジタル・マーキング・サーフェスと併せたデジタル・マーキング装置のタッチを検知し、
前記デジタル・マーキング・サーフェス上に、描画コンテキスト・タッチジェスチャ近接領域に関連する描画コンテキスト・タッチジェスチャ近接領域インジケータを表示し、
前記デジタル・マーキング装置が前記デジタル・マーキング・サーフェスと併せてタッチし、タッチコンタクトが前記描画コンテキスト・タッチジェスチャ近接領域内に位置する場合に、前記描画コンテキスト・タッチジェスチャ近接領域インジケータを修正し、
前記デジタル・マーキング装置が前記デジタル・マーキング・サーフェスと併せてタッチし、タッチジェスチャを検知した場合には、
前記タッチジェスチャが有効な描画コンテキスト・タッチジェスチャであるかどうかを判定し、
前記タッチジェスチャが有効な描画コンテキスト・タッチジェスチャである場合、描画コンテキストに従って前記タッチジェスチャを解釈し、
前記タッチジェスチャの前記解釈に応じて、前記デジタル・マーキング装置に関連する特性を設定することを含む、方法。
【発明の詳細な説明】
【技術分野】
【０００１】
本発明は、概して、デジタル・マーキング・サーフェス方法、システムおよび装置に関し、より詳細には、デジタル・マーキング装置の描画性を設定するための方法、システムおよび装置に関する。
【背景技術】
【０００２】
デジタル・マーキング・サーフェス装置（電子黒板）は、ユーザがデジタルマークを付すことができ、また他のデジタルコンテンツを表示できる、デジタル・マーキング・サーフェスを備えることができる。デジタルマークは、ユーザがデジタル・マーキング装置（電子黒板用の電子ペン）を使用して付すことができる。
【０００３】
通常、デジタル・マーキング・サーフェスの一部は、デジタル・マーキング装置の表示特性、例えば、デジタル・マーキング装置に関連する、線幅、色、色塗りつぶし、パターン塗りつぶし、縁の種類、不透明度、および他の描画性に関連するコマンドアイコンを備えたコマンドストリップを表示するために使用できる。
例えば、特許文献１には、２点タッチによりアイコンを表示させる電子黒板の技術が開示されている。これにより、メニューを探す時間を短縮できる。
【先行技術文献】
【特許文献】
【０００４】
【特許文献１】特開２００３−１７３２３７号公報
【発明の概要】
【発明が解決しようとする課題】
【０００５】
デジタル・マーキング装置の特性を設定するためにコマンドストリップを起動する必要のない方法、システムおよび装置が望ましい場合がある。
詳しくは、上記特許文献１では、タッチしているペンの種類（例えば色、太さなど）を変更する場合、ペンの種類を変更するためのメニュー操作が必要になり、容易に変更できないという問題がある。
【０００６】
そこで、タッチしているペンの近傍で別のタッチを検出すると、ペンの種類を容易に変更できるデジタル・マーキング装置の特性設定方法を提供することを目的とする。
【課題を解決するための手段】
【０００７】
本発明のいくつかの実施形態は、デジタル・マーキング装置の描画性を設定するための方法、システムおよび装置を含む。
【０００８】
デジタル・マーキング装置がデジタルマーク・サーフェスと併せてタッチ（engagement）するのと同時にタッチジェスチャが検知されることにより、タッチジェスチャの描画コンテキストの解釈を実施できる。デジタル・マーキング装置の特性は、タッチジェスチャの描画コンテキストの解釈に応じて設定できる。なお、描画コンテキストとは描画関係の情報を管理する概念であり、本発明の「描画コンテキストに従って」とは例えば、タップ、フリック、円のような図形を描く動作の軌跡に対応付けされた描画に関する定義内容によってという意である。
【０００９】
本発明の上記およびその他の目的、特徴、および利点は、後述する発明を実施するための形態を添付の図面と併せて考察することで、理解が容易になるであろう。
【発明の効果】
【００１０】
本発明によれば、デジタル・マーキング装置の作動とタッチジェスチャを同時に検知するので、描画コンテキストに従ってタッチジェスチャを解釈できる。これにより、例えば、タッチしているペンの近傍で別のタッチを検出すると、ペンの種類（色、太さほか）を容易に変更できるので、ペンソフトの操作性を向上させることができる。
【図面の簡単な説明】
【００１１】
【図１】本発明のいくつかの実施形態によるデジタル・マーキング・サーフェス・システムの例を説明する図である。
【図２】デジタル・マーキング・サーフェス上のデジタルマークの例を説明する図である。
【図３】本発明のいくつかの実施形態による、デジタル・マーキング装置と描画コンテキスト・タッチジェスチャ近接領域との関係を説明する図である。
【図４】本発明のいくつかの実施形態による、描画コンテキスト・タッチジェスチャ近接領域と描画コンテキスト・タッチジェスチャ近接領域インジケータとの関係を説明する図である。
【図５】本発明のいくつかの実施形態による、タッチジェスチャによる最初の接触に応じた描画コンテキスト・タッチジェスチャ近接領域インジケータの修正を説明する図である。
【図６】本発明のいくつかの実施形態によるタッチパッド・エミュレータを説明する図である。
【図７】デジタル・マーキング装置がデジタル・マーキング・サーフェスと併せて作動している間にタッチジェスチャを行った際の描画コンテキストにおけるタッチジェスチャの解釈を含む本発明の例示の実施形態を示すフローチャートである。
【図８】デジタル・マーキング装置の特性の遡及適用を含む本発明の例示の実施形態を示すフローチャートである。
【図９】描画コンテキスト・タッチジェスチャ近接領域の視覚フィードバックを表示することを含む本発明の例示の実施形態を示すフローチャートである。
【図１０】デジタル・マーキング装置の作動と同時のタッチコンタクトに応じた描画コンテキスト・タッチジェスチャ近接領域インジケータの修正を含む本発明の例示の実施形態を示すフローチャートである。
【図１１】タッチジェスチャに応じたさらなる修正を伴うデジタル・マーキング装置の作動と同時のタッチコンタクトに応じた描画コンテキスト・タッチジェスチャ近接領域インジケータの修正を含む本発明の例示の実施形態を示すフローチャートである。
【図１２】デジタル・マーキング装置がデジタル・マーキング・サーフェスと併せて作動している間にタッチジェスチャを行った際の描画コンテキストにおけるタッチジェスチャの解釈を含む本発明の例示の実施形態を示すフローチャートである。
【図１３】デジタル・マーキング装置がデジタル・マーキング・サーフェスと併せて作動している間にタッチジェスチャを行った際の描画コンテキストにおけるタッチジェスチャの解釈を含み、描画コンテキスト・タッチジェスチャの解釈に関連したデジタル・マーキング装置の特性を遡及的に適用する、本発明の例示の実施形態を示すフローチャートである。
【図１４】デジタル・マーキング装置がデジタル・マーキング・サーフェスと併せて作動している間にタッチジェスチャを行った際、およびデジタル・マーキング装置の現在の作動ポイントに関連した近接領域内でタッチジェスチャを行った際の描画コンテキストにおけるタッチジェスチャの解釈を含む本発明の例示の実施形態を示すフローチャートである。
【図１５】デジタル・マーキング装置がデジタル・マーキング・サーフェスと併せて作動している間にタッチジェスチャを行った際、およびデジタル・マーキング装置の現在の作動ポイントに関連した近接領域内でタッチジェスチャを行った際の描画コンテキストにおけるタッチジェスチャの解釈を含み、描画コンテキストにおけるタッチジェスチャの解釈に関連したデジタル・マーキング装置の特性を遡及的に適用する、本発明の例示の実施形態を示すフローチャートである。
【図１６Ａ】タッチコンタクトに応じた視覚フィードバックを含む本発明の例示の実施形態を示すフローチャートである。
【図１６Ｂ】タッチコンタクトに応じた視覚フィードバックを含む本発明の例示の実施形態を示すフローチャートである。
【図１７Ａ】タッチコンタクトに応じた視覚フィードバックを含み、描画コンテキスト・タッチジェスチャの解釈に関連したデジタル・マーキング装置の特性を遡及的に適用する、本発明の例示の実施形態を示すフローチャートである。
【図１７Ｂ】タッチコンタクトに応じた視覚フィードバックを含み、描画コンテキスト・タッチジェスチャの解釈に関連したデジタル・マーキング装置の特性を遡及的に適用する、本発明の例示の実施形態を示すフローチャートである。
【図１８Ａ】タッチジェスチャに応じた視覚フィードバックを含む本発明の例示の実施形態を示すフローチャートである。
【図１８Ｂ】タッチジェスチャに応じた視覚フィードバックを含む本発明の例示の実施形態を示すフローチャートである。
【図１９Ａ】タッチジェスチャに応じた視覚フィードバックを含み、描画コンテキスト・タッチジェスチャの解釈に関連したデジタル・マーキング装置の特性を遡及的に適用する、本発明の例示の実施形態を示すフローチャートである。
【図１９Ｂ】タッチジェスチャに応じた視覚フィードバックを含み、描画コンテキスト・タッチジェスチャの解釈に関連したデジタル・マーキング装置の特性を遡及的に適用する、本発明の例示の実施形態を示すフローチャートである。
【発明を実施するための形態】
【００１２】
本発明の実施形態は、図面を参照することにより最もよく理解されるであろう。図面全体を通して、同一の部分には同一の符号を付すものとする。上記の図は、明白に、この発明を実施するための形態の一部として含まれる。
【００１３】
本発明の構成要素が、概して本願の図において記載され説明されるように、様々な異なる構成において配置および設計可能であることは、容易に理解されるであろう。よって、以下に示す本発明の方法、システムおよび装置の実施形態のより詳細な説明は、本発明の範囲の限定を意図するものではなく、単に本発明の現在の好適な実施形態を表すものである。
【００１４】
本発明の実施形態の要素は、ハードウェア、ファームウェアおよび／またはコンピューティング・システムをプログラムするために使用し得る命令を記憶したコンピュータ読み取り可能な記憶媒体を備えた非一時的なコンピュータプログラム製品において実現できる。本願で明らかにされる例示の実施形態は、これら形態の１つを記載しているに過ぎないが、当業者は、本発明の範囲内にありながら、これらの形態のいずれかにおいて、これらの要素を実施できるであろうと理解されるべきである。
【００１５】
図におけるフローチャートおよびダイアグラムは、具体的な実行順序を示すことが可能であるが、実行順序は、図示されたものと異なってもよいことは理解されるであろう。例えば、ブロックの実行順序は、示された順序に対して変更したものであってよい。またさらなる例として、図中、連続して示された２つ以上のブロックを、同時に、または一部同時に実行できる。コンピューティング・システムをプログラムするために使用し得る命令を記憶したコンピュータ読み取り可能な記憶媒体を備えた非一時的なコンピュータプログラム製品、ハードウェアおよび／またはファームウェアを、本願に記載する種々の論理機能を実行するために当業者が作成し得ることは、当業者には理解されるであろう。
【００１６】
デジタル・マーキング・サーフェス装置は、ユーザが１つまたは複数のデジタルマークを付すことができ、かつ他のデジタルコンテンツを表示できるデジタル・マーキング・サーフェスを備えることができる。デジタルマークは、ユーザがデジタル・マーキング装置を使用して付すことができる。
【００１７】
通常、デジタル・マーキング・サーフェスの一部は、デジタル・マーキング装置の表示特性、例えば、デジタル・マーキング装置に関連する、線幅、色、色塗りつぶし、パターン塗りつぶし、縁の種類、不透明度、および他の描画性に関連するコマンドアイコンを備えたコマンドストリップを表示するために使用できる。
【００１８】
デジタル・マーキング装置の特性を設定するためにコマンドストリップを起動する必要のない方法、システムおよび装置が望ましい場合がある。
【００１９】
（実施形態１）
図１は、本発明の実施形態によるデジタル・マーキング・サーフェス・システム１００の例を説明する図である。このシステム１００は、デジタル・マーキング・サーフェス１０２、例えば、対話型ホワイトボード、タッチスクリーン・ディスプレイ、タブレット・パーソナルコンピュータ（ＰＣ）、サーフェイス・コンピュータ、または他のデジタル・マーキング・サーフェスを備えることができる。本発明のいくつかの実施形態は、このサーフェス１０２上の対話を追跡する感知技術を含むことができる。感知技術の例として、抵抗感知技術、容量感知技術、能動電磁感知技術、受動電磁感知技術、例えば、赤外線ベース、レーザベース、カメラベースおよびその他光学式感知技術といった光学的感知技術、超音波感知技術、分散信号技術および他の感知技術が挙げられる。
【００２０】
ユーザは、例えば、マウス、キーボード、スタイラス、専用のマーキング装置としてのペン等のデジタル入力装置、指、またはデジタル・マーキング・サーフェス１０２上にデジタルインクのマークを入力可能な他のマーキング装置を使用して、サーフェス１０２上にデジタルマークを付すことができる。サーフェス１０２はデジタル画像や他のデジタルコンテンツを表示することもできる。
【００２１】
デジタル・マーキング・サーフェス・システム１００は、このシステム１００を制御するためのデジタル・マーキング・サーフェス・システム・コントローラ１０４を備えることができる。このコントローラ１０４は、デジタル・マーキング・サーフェス１０２を制御することと、このサーフェス１０２から計測することとを行い、かつシステム１００に関連した他の制御機能を有するデジタル・マーキング・サーフェス電子装置１０６を備えることができる。コントローラ１０４は、電源１０８、コントローラメモリ１１０、コントローラプロセッサ１１２、およびデジタル／アナログ変換器（ＤＡＣ）１１４を備えることができる。本発明のいくつかの実施形態（図示せず）において、コントローラ１０４は、サーフェス１０２を備えた単一の装置に物理的に組み入れることができる。他の実施形態において、コントローラ１０４は、サーフェス１０２と物理的には別個であるが、電子的に接続できる。
【００２２】
デジタル・マーキング・サーフェス・システム１００は、プロセッサ１１６およびアプリケーションメモリ１１８を備えることができる。本発明のいくつかの実施形態（図示せず）では、プロセッサ１１６およびアプリケーションメモリ１１８は、デジタル・マーキング・サーフェス１０２を備えた単一の装置に物理的に組み入れることができる。本発明の他の実施形態（図示せず）では、プロセッサ１１６およびアプリケーションメモリ１１８は、デジタル・マーキング・サーフェス・システム・コントローラ１０４を備えた単一の装置に物理的に組み入れることができる。本発明のさらに他の実施形態では、プロセッサ１１６およびアプリケーションメモリ１１８は、サーフェス１０２およびコントローラ１０４のうちの１つまたは両方と物理的には別個であるが、これらのうちの１つまたは両方に電子的に接続できる。本発明のいくつかの実施形態では、プロセッサ１１６およびアプリケーションメモリ１１８は、コンピューティング装置１２０に属することができる。
【００２３】
例示のコンピューティング装置１２０は、読み出し専用メモリ（ＲＯＭ）１２４およびランダム・アクセス・メモリ（ＲＡＭ）１２６を有するシステムメモリ１２２を備えることができる。例示のコンピューティング装置１２０は、ＲＯＭ１２４に属し、かつシステムバス１３０を介してコンピューティング装置１２０の構成要素間での情報の転送を制御するための基本入出力システム（ＢＩＯＳ）１２８を備えることができる。例示のコンピューティング装置１２０は、例えば、ハードディスク、光ディスク、磁気ディスクまたは他のコンピュータ読み取り可能な媒体といった、コンピュータ読み取り可能な媒体（図示）１３４に対して読み書きするための、ハードディスクドライブ、磁気ディスクドライブ、光ディスクドライブまたは他のデータ記憶装置といった、１つまたは複数のデータ記憶装置（図示）１３２を備えることができる。例示のコンピューティング装置１２０は、データ記憶装置１３２をシステムバス１３０に接続するための関連データ記憶装置インタフェース１３６も含むことができる。
【００２４】
デジタル・マーキング・サーフェス・アプリケーション・プログラムは、ＲＯＭ１２４、ＲＡＭ１２６、または、１つまたは複数のデータ記憶装置１３２に記憶することができる。このプログラムは、実行されるとデジタル・マーキング・サーフェス・システム１００を制御し、このサーフェス１０２から入力を処理し、デジタル・マーキング・サーフェス１０２上に表示されているコンテンツ中の変更を実施し、およびその他の場合においては、このプログラムを実施できる命令を含むことができる。
【００２５】
例示のコンピューティング装置１２０は、例えば、パラレルポート、ゲームポート、ユニバーサル・シリアル・バスまたは他のインタフェースといった、インタフェース１４０を介してシステムバス１３０に接続できる、例えば、マウス、キーボード、ジョイスティックまたは他の入力装置といった、入力装置１３８を含むことができる。
【００２６】
例示のコンピューティング装置１２０は、ビデオアダプタ１４４を介してシステムバス１３０に接続できるディスプレイ１４２を含むことができる。
【００２７】
例示のコンピューティング装置１２０は、ネットワーク・インタフェース１４６または他の通信接続を介してデジタル・マーキング・サーフェス・システム・コントローラ１０４と通信可能に接続できる。
【００２８】
本発明のいくつかの実施形態を、図２に関連して理解することができる。デジタル・マーキング・ペンともみなされるデジタル・マーキング装置２０２は、例えば、対話型ホワイトボード、タブレットまたは他の装置におけるタッチスクリーン・ディスプレイ、サーフェイス・コンピュータおよび他のデジタル・マーキング・サーフェスといったデジタル・マーキング・サーフェス１０２上に、図示された２つのマーク２０４と２０６を付すために使用できる。マーキング装置２０２は、例えば、サーフェス１０２に接触して作動し、サーフェス１０２の近傍で感知されるか、またはその他の場合はサーフェス１０２にマークを付すことが可能になると、サーフェス１０２上のタッチジェスチャをマーキング装置２０２に関連して解釈することができ、これにより、デジタル・マーキング装置の表示特性、例えば、線幅、線種、線色、色塗りつぶし、パターン塗りつぶし、縁の種類、不透明度、およびデジタル・マーキング装置２０２に関連した他の描画性を変更する。
【００２９】
本発明のいくつかの実施形態では、デジタル・マーキング・サーフェス１０２上の１本指でのタップを含むタッチジェスチャにより、デジタル・マーキング装置に関連して、線種を実線から点線に変更できる。他の実施形態では、サーフェス１０２上の１本指でのタップを含むタッチジェスチャにより、２つ以上の線種を切り替えることができる。本発明のさらに他の実施形態では、サーフェス１０２において１本指で何度もタップすることを含むタッチジェスチャを使用して、点線の種類を設定できる。
【００３０】
本発明のいくつかの実施形態では、デジタル・マーキング・サーフェス１０２における２本指でのピンチイン／ピンチアウトジェスチャを含むタッチジェスチャにより、線幅を変更できる。いくつかの実施形態では、サーフェス１０２における２本指でのピンチインジェスチャにより、線幅を狭くできる。いくつかの実施形態では、サーフェス１０２における２本指でのピンチアウトジェスチャにより線幅を広くできる。
【００３１】
本発明のいくつかの実施形態では、デジタル・マーキング・サーフェス１０２をこするジェスチャにより、サーフェス１０２からデジタルマークを削除できる。
【００３２】
本発明のいくつかの実施形態では、デジタル・マーキング・サーフェス１０２において２本指で第１の方向へドラッグするジェスチャにより、マークの透明度を上げる設定ができる。また、２本指で反対方向へドラッグするジェスチャにより、マークの透明度を下げる設定ができる。
【００３３】
本発明のいくつかの実施形態では、デジタル・マーキング・サーフェス１０２において１本指で渦を描くタッチジェスチャにより、カラーパレットに進み、渦を描き終わった所でマークの色を選択できる。本発明の他の実施形態では、サーフェス１０２において１本指を横に滑らせるタッチジェスチャにより、カラーパレットに進み、横に滑らせるジェスチャが終わった所でマークの色を選択できる。
【００３４】
本発明のいくつかの実施形態では、デジタル・マーキング・サーフェス１０２において２本指で２回タップするタッチジェスチャにより、サーフェス１０２からデジタル・マーキング・ペンの直前の線を削除することを実施できる。
【００３５】
本発明のいくつかの実施形態では、タッチジェスチャは、例えば、デジタル・マーキング装置を持つ手を振るジェスチャを組み合わせた、デジタル・マーキング・サーフェス１０２において１本指で１回タップするタッチジェスチャといった、手のジェスチャを含むことができる。このようなジェスチャにより、サーフェス１０２から、デジタル・マーキング装置の特性の直前の設定を取り消すことができる。
【００３６】
上記のタッチジェスチャと、そのタッチジェスチャによるデジタル・マーキング装置の特性に対する設定は例示であって、本発明の範囲の限定を意図するものではない。
【００３７】
本発明のいくつかの実施形態では、デジタル・マーキング装置２０２が作動している間、タッチジェスチャの検知によって、その時点から他の特性変更のイベントが検知されるまで、デジタル・マーキング・サーフェス１０２上に付されたデジタルマークに対するマーキング装置の特性の変更を実行できる。本発明の他の実施形態では、マーキング装置２０２が作動している間、タッチジェスチャの検知によって、サーフェス１０２上に先に付されたデジタルマークに対するマーキング装置の特性の変更を実行できる。これらの実施形態の一部では、マーキング装置の特性を、マーキング装置が連続して作動している現在の期間中に作成されたデジタルマークに遡及的に適用できる。これらの実施形態の他の場合において、マーキング装置の特性を、例えば、現在のユーザに関連する期間、マーキング色に関連する期間、箇条書きや番号付きリストおよび他のマーキングパターン等のマーキングパターンに関連する期間等、他の期間中に作成されたデジタルマークに遡及的に適用できる。
【００３８】
本発明のいくつかの実施形態を、図３に関連して理解することができる。デジタル・マーキング装置２０２は、図示された２つのデジタルマーク２０４と２０６をデジタル・マーキング・サーフェス１０２上に付すために使用できる。マーキング装置２０２が作動している間のタッチジェスチャの検知によって、サーフェス１０２上に付されたデジタルマークについてのマーキング装置の特性の変更を、現在のデジタル・マーキング装置の作動ポイント３０２の近傍でタッチジェスチャが検知される時に実行することができる。この場合、現在の作動ポイント３０２は、マーキング装置２０２が現在検知されているサーフェス１０２上の点である。よって、例えば、タッチジェスチャの最初の接触位置３０４等の、現在の作動ポイント３０２から遠い位置で検知されたタッチジェスチャは、非描画コンテキストで解釈できる。一方、例えば、タッチジェスチャの最初の接触位置３０６等の、現在の作動ポイント３０２の近傍で検知されたタッチジェスチャ（第１のタッチジェスチャに相当する）は、デジタル・マーキング装置の特性の変更を実行できる描画コンテキストで解釈できる。
【００３９】
本発明のいくつかの実施形態では、タッチジェスチャは、タッチジェスチャに関連した最初の接触（タッチコンタクトともいう）が描画コンテキスト・タッチジェスチャ近接領域３０８に位置する時、この近接領域３０８で検知されると考えることができる。例えば、２本指でのピンチインまたはピンチアウトのタッチジェスチャは、いずれかの指の最初の接触が近接領域３０８内で検知された時、ジェスチャの終わる位置または第２の指の最初の接触位置に関わらず、近接領域３０８にあると考えられる。本発明のいくつかの実施形態では、円形の近接領域３０８は、現在のデジタル・マーキング装置の作動ポイント３０２に関連して定義できる。近接領域３０８内で検知されたタッチジェスチャは、描画コンテキストに従って解釈できる。他の実施形態は、他の形の描画コンテキスト・タッチジェスチャ近接領域を含むことができる。いくつかの実施形態において、描画コンテキスト・タッチジェスチャ近接領域は、１組のデジタルマークとデジタル・マーキング装置の作動ポイントとを包含する多角形の閉鎖領域であり得る。
【００４０】
本発明のいくつかの実施形態では、描画コンテキスト・タッチジェスチャ近接領域は、現在のデジタル・マーキング装置の作動ポイントと関連して、淡色の周辺マーキングまたは他のインジケータによりデジタル・マーキング・サーフェス上に示すことができる。本発明の他の実施形態では、描画コンテキスト・タッチジェスチャ近接領域は、マーキング装置が作動して、タッチコンタクトが検知された場合のみ、現在のマーキング装置の作動ポイントと関連して、淡色の周辺マーキングまたは他のインジケータでサーフェス上に示すことができる。本発明の他の実施形態では、描画コンテキスト・タッチジェスチャ近接領域は、マーキング装置が作動して、タッチコンタクトが描画コンテキスト・タッチジェスチャ近接領域内で検知された場合のみ、現在のマーキング装置の作動ポイントと関連して、淡色の周辺マーキングまたは他のインジケータにより、サーフェス上に示すことができる。本発明のいくつかの実施形態では、描画コンテキスト・タッチジェスチャ近接領域インジケータを、マーキング装置のユーザのみに見えるようにレンダリングすることができる。
【００４１】
本発明のいくつかの実施形態を、図４〜６に関連して理解することができる。デジタル・マーキング装置４０２は、４０４と示されたデジタルマークをデジタル・マーキング・サーフェス４０６上に付すために使用できる。描画コンテキスト・タッチジェスチャ近接領域４０８を、現在のデジタル・マーキング装置の作動ポイント４１０に関連して定義することができ、近接領域４０８の周辺を示す描画コンテキスト・タッチジェスチャ近接領域インジケータ４１２によって示すことができる。近接領域インジケータ４１２は、デジタルマークに相当し、例えば、図４で説明するような細い破線４１２等のタッチジェスチャを検知していないマーキング装置の作動に対応する最初の特性、または、例えば、点滅する細い縁または他の特性等の別の特性によってレンダリング可能である。
【００４２】
しかしながら、最初の接触（上記タッチコンタクト）が、例えば、図５に示すタッチジェスチャの最初の接触位置５０２等の、近接領域４０８内の位置で検知された場合、線の太さ、破線の種類等の、描画コンテキスト・タッチジェスチャ近接領域インジケータ５０４の１つまたは複数の特性は、検知されたタッチコンタクトに応じて変化して、これによりユーザに視覚フィードバックを提供することができる。他の変化の例は、描画コンテキスト・タッチジェスチャ近接領域インジケータの色、濃さ、透明度、不透明度、動画（例えば、点滅および他の画像動画特性）および他の描画性における変化である。
【００４３】
図６で説明する他の実施形態では、描画コンテキスト・タッチジェスチャ近接領域インジケータ６０２は変化しないかもしれないが、局所的なタッチパッドを視覚的にエミュレートする、淡色で塗られた矩形領域６０４を、タッチコンタクトの位置５０２の近傍に表示することができる。
【００４４】
有効なタッチジェスチャを検知すると、描画コンテキスト・タッチジェスチャ近接領域インジケータは、さらに変化することができる。
【００４５】
図７に関連して記載された本発明のいくつかの実施形態は、デジタル・マーキング装置の特性を設定するための方法（７００）を含むことができる。マーキング装置の作動とタッチジェスチャの同時検知（７０２）で、タッチジェスチャを描画コンテキストに従って解釈することができる（７０４）。タッチジェスチャに関連したマーキング装置の特性を、検知された時点以降、デジタル・マーキング・サーフェス上に付されたデジタルマークに適用することができる（７０６）。マーキング装置の特性の例は、線幅、線種、線色、不透明度、およびマーキング装置に関連した他の描画性を含むことができる。
【００４６】
（実施形態２）
図８に関連して記載された本発明のいくつかの他の実施形態は、デジタル・マーキング装置の特性を設定するための方法（８００）を含むことができる。マーキング装置の作動とタッチジェスチャの同時検知（８０２）で、タッチジェスチャを描画コンテキストに従って解釈することができる（８０４）。タッチジェスチャに関連したマーキング装置の特性を、デジタル・マーキング・サーフェス上に付されたデジタルマークに遡及的に適用することができる（８０６）。マーキング装置の特性の例は、線幅、線種、線色、不透明度、およびマーキング装置に関連した他の描画性を含むことができる。本発明のいくつかの実施形態では、特性の変更を、マーキング装置が連続して作動している現在の期間中に作成されたデジタルマークに遡及的に適用することができる。他の実施形態では、マーキング装置の特性を、例えば、現在のユーザに関連する期間、マーキング色に関連する期間、例えば箇条書き、番号付きリストおよび他のマーキングパターン等のマーキングパターンに関連する期間等、他の期間中に作成されたデジタルマークに遡及的に適用することができる。
【００４７】
（実施形態３）
図９に関連して記載された本発明のいくつかの実施形態は、描画コンテキスト・タッチジェスチャ近接領域を示すための方法（９００）を含むことができる。マーキング装置の作動を検知すると（９０２）、描画コンテキスト・タッチジェスチャ近接領域に関する視覚フィードバックを表示できる（９０４）。本発明のいくつかの実施形態では、描画コンテキスト・タッチジェスチャ近接領域インジケータを、現在のマーキング装置の作動ポイントに関連して表示できる。本発明のいくつかの実施形態において、円形の近接領域は、現在のマーキング装置の作動ポイントに関連して定義できる。近接領域内で検知されたタッチジェスチャは、描画コンテキストに従って解釈できる。他の実施形態は、他の形の描画コンテキスト・タッチジェスチャ近接領域を含むことができる。いくつかの実施形態において、近接領域は、１組のデジタルマークとマーキング装置の作動ポイントとを包含する多角形の閉鎖領域であり得る。いくつかの実施形態において、近接領域インジケータは、現在のマーキング装置の作動ポイントに関連した淡色の周辺マーキングまたは他のインジケータを含むことができる。
【００４８】
（実施形態４）
図１０に関連して記載された本発明のいくつかの実施形態は、描画コンテキスト・タッチジェスチャ近接領域に関連してユーザにフィードバックを提供する方法（１０００）を含むことができる。マーキング装置の作動を検知すると（１００２）、描画コンテキスト・タッチジェスチャ近接領域に関する視覚フィードバックを表示できる（１００４）。本発明のいくつかの実施形態では、現在のマーキング装置の作動ポイントに関連して、最初の特性を有する描画コンテキスト・タッチジェスチャ近接領域インジケータを表示できる。本発明のいくつかの実施形態では、円形の近接領域は、現在のマーキング装置の作動ポイントに関連して定義できる。近接領域内で検知されたタッチジェスチャは、描画コンテキストに従って解釈することができる。他の実施形態は、他の形の描画コンテキスト・タッチジェスチャ近接領域を含むことができる。いくつかの実施形態において、近接領域は、１組のデジタルマークとマーキング装置の作動ポイントとを包含する多角形の閉鎖領域であり得る。いくつかの実施形態において、近接領域インジケータは、現在のマーキング装置の作動ポイントに関連した淡色の周辺マーキングまたは他のインジケータを含むことができる。
【００４９】
続いて、マーキング装置の作動とタッチコンタクトとの同時検知（１００６）で、描画コンテキスト・タッチジェスチャ近接領域に関する視覚フィードバックを表示できる（１００８）。いくつかの実施形態では、現在の描画コンテキスト・タッチジェスチャ近接領域インジケータの特性を変更できる。例えば、線の太さ、破線の種類等の、描画コンテキスト・タッチジェスチャ近接領域インジケータの１つまたは複数の特性は、検知されたタッチコンタクトに応じて変化し、これによりユーザに視覚フィードバックを提供することができる。他の変化の例は、描画コンテキスト・タッチジェスチャ近接領域インジケータの色、濃さ、透明度、不透明度、動画（例えば、点滅および他の画像動画特性）および他の描画性における変化である。他の実施形態では、描画コンテキスト・タッチジェスチャ近接領域インジケータは変化しないかもしれないが、局所的なタッチパッドを視覚的にエミュレートする、淡色で塗られた矩形領域を、タッチコンタクトの位置の近傍に表示することができる。
【００５０】
（実施形態５）
図１１に関連して記載された本発明のいくつかの実施形態は、描画コンテキスト・タッチジェスチャ近接領域に関連したフィードバックをユーザに提供するための方法（１１００）を含むことができる。マーキング装置の作動を検知すると（１１０２）、描画コンテキスト・タッチジェスチャ近接領域に関する視覚フィードバックを表示できる（１１０４）。本発明のいくつかの実施形態では、現在のマーキング装置の作動ポイントに関連して、最初の特性を有する描画コンテキスト・タッチジェスチャ近接領域インジケータを表示できる。本発明のいくつかの実施形態では、円形の近接領域は、現在のマーキング装置の作動ポイントに関連して定義できる。近接領域内で検知されたタッチジェスチャは、描画コンテキストに従って解釈することができる。他の実施形態は、他の形の描画コンテキスト・タッチジェスチャ近接領域を含むことができる。いくつかの実施形態において、近接領域は、１組のデジタルマークとマーキング装置の作動ポイントとを包含する多角形の閉鎖領域であり得る。いくつかの実施形態において、近接領域インジケータは、現在のマーキング装置の作動ポイントに関連した淡色の周辺マーキングまたは他のインジケータを含むことができる。
【００５１】
続いて、マーキング装置の作動とタッチコンタクトとの同時検知（１１０６）で、描画コンテキスト・タッチジェスチャ近接領域に関する視覚フィードバックを表示できる（１１０８）。いくつかの実施形態では、現在の描画コンテキスト・タッチジェスチャ近接領域インジケータを修正できる。例えば、線の太さ、破線の種類等の、描画コンテキスト・タッチジェスチャ近接領域インジケータの１つまたは複数の特性は、検知されたタッチコンタクトに応じて変化し、これによりユーザに視覚フィードバックを提供することができる。他の変化の例は、描画コンテキスト・タッチジェスチャ近接領域インジケータの色、濃さ、透明度、不透明度、動画（例えば、点滅および他の画像動画特性）および他の描画性における変化である。他の実施形態では、描画コンテキスト・タッチジェスチャ近接領域インジケータは変化しないかもしれないが、局所的なタッチパッドを視覚的にエミュレートする、淡色で塗られた矩形領域を、タッチコンタクトの位置の近傍に表示できる。
【００５２】
続いて、マーキング装置の作動とタッチジェスチャとの同時検知（１１１０）で、描画コンテキスト・タッチジェスチャ近接領域に関する視覚フィードバックを表示できる（１１１２）。いくつかの実施形態では、現在の描画コンテキスト・タッチジェスチャ近接領域インジケータを修正できる。例えば、線の太さ、破線の種類等の、描画コンテキスト・タッチジェスチャ近接領域インジケータの１つまたは複数の特性は、検知されたタッチジェスチャに応じて変化し、これによりユーザに視覚フィードバックを提供することができる。他の変化の例は、描画コンテキスト・タッチジェスチャ近接領域インジケータの色、濃さ、透明度、不透明度、動画（例えば、点滅および他の画像動画特性）および他の描画性における変化である。他の実施形態では、描画コンテキスト・タッチジェスチャ近接領域インジケータは変化しないかもしれないが、局所的なタッチパッドを視覚的にエミュレートする、淡色で塗られた矩形領域を、タッチコンタクトの位置の近傍に表示できる。
【００５３】
（実施形態６）
図１２に関連して記載された本発明のいくつかの実施形態は、デジタル・マーキング装置の特性を設定するための方法（１２００）を含むことができる。デジタル書き込みサーフェスにおいてタッチジェスチャが実行されたか否かを判定するために、タッチジェスチャ検知ステップ（１２０２）を実施することができる。タッチジェスチャが検知されない場合（１２０４）、この方法ではタッチジェスチャの実行を待ち続けることができる。タッチジェスチャが検知された場合（１２０６）、マーキング装置が検知されたタッチジェスチャと同時に作動しているか否かを判定するために、マーキング装置の作動ステップ（１２０８）を実施することができる。マーキング装置が作動していない場合（１２１０）、検知されたタッチジェスチャは、非描画コンテキストに従って解釈可能であり（１２１２）、例えば、画像の両端をタッチしてドラッグすることはサイズ変更ジェスチャと解釈され、１本指でのドラッグは移動のジェスチャおよびマーキング装置に関連しない動きに関する他のタッチジェスチャと解釈され得る。この方法でタッチジェスチャの実行の監視（１２０２）を継続できる。マーキング装置が作動している場合（１２１４）、検知されたタッチジェスチャが、有効な描画コンテキスト・タッチジェスチャであるかどうかを判定するために、描画コンテキスト・タッチジェスチャ有効性チェック（１２１６）を行うことができる。有効性チェック（１２１６）は、受信したタッチジェスチャと有効なジェスチャのライブラリとの比較を含むことができ、タッチジェスチャがタッチジェスチャ近接領域で実行されたかどうかの判定を含むことができ、タッチジェスチャに関連した特性変更が現在のマーキング装置に対応しているかどうかの判定を含むことができ、または、有効な描画コンテキスト・タッチジェスチャの識別に関連した他の機能を含むことができる。タッチジェスチャが、有効な描画コンテキスト・タッチジェスチャではない場合（１２１８）、この方法でタッチジェスチャの実行の監視（１２０２）を継続できる。タッチジェスチャが、有効な描画コンテキスト・タッチジェスチャである場合（１２２０）、描画コンテキストに従ってタッチジェスチャを解釈できる（１２２２）。タッチジェスチャに関連したマーキング装置の特性を設定することができ（１２２４）、マーキング装置によって作成される次のデジタルマークは、新しいマーキング装置の特性と併せて作成されることになる。マーキング装置の特性の例は、線幅、線種、線色、不透明度、およびマーキング装置に関連した他の描画性を含むことができる。
【００５４】
（実施形態７）
図１３に関連して記載された本発明のいくつかの実施形態は、デジタル・マーキング装置の特性を設定するための方法（１３００）を含むことができる。デジタル書き込みサーフェスにおいてタッチジェスチャが実行されたか否かを判定するためにタッチジェスチャ検知ステップ（１３０２）を実施することができる。タッチジェスチャが検知されない場合（１３０４）、この方法でタッチジェスチャの実行の監視（１３０２）を継続できる。タッチジェスチャが検知された場合（１３０６）、マーキング装置が検知されたタッチジェスチャと同時に作動しているか否かを判定するために、マーキング装置の作動ステップ（１３０８）を実施できる。マーキング装置が作動していない場合（１３１０）、検知されたタッチジェスチャは、非描画コンテキストに従って解釈可能であり（１３１２）、例えば、画像の両端をタッチしてドラッグすることはサイズ変更ジェスチャと解釈され、１本指でのドラッグは移動のジェスチャおよびマーキング装置に関連しない動きに関する他のタッチジェスチャと解釈され得る。この方法でタッチジェスチャの実行を待ち続けることができる。マーキング装置が作動している場合（１３１４）、検知されたタッチジェスチャが、有効な描画コンテキスト・タッチジェスチャであるかどうかを判定するために、描画コンテキスト・タッチジェスチャ有効性チェック（１３１６）を行うことができる。有効性チェック（１３１６）は、受信したタッチジェスチャと有効なジェスチャのライブラリとの比較を含むことができ、タッチジェスチャがタッチジェスチャ近接領域で実行されたかどうかの判定を含むことができ、タッチジェスチャに関連した特性変更が現在のマーキング装置に対応しているかどうかの判定を含むことができ、また、有効な描画コンテキスト・タッチジェスチャの識別に関連した他の機能を含むことができる。タッチジェスチャが、有効な描画コンテキスト・タッチジェスチャではない場合（１３１８）、この方法でタッチジェスチャの実行の監視（１３０２）を継続できる。タッチジェスチャが、有効な描画コンテキスト・タッチジェスチャである場合（１３２０）、描画コンテキストに従ってタッチジェスチャを解釈できる（１３２２）。タッチジェスチャに関連したマーキング装置の特性を設定することができる（１３２４）。マーキング装置の特性の例は、線幅、線種、線色、色塗りつぶし、パターン塗りつぶし、縁の種類、不透明度、およびデジタル・マーキング装置に関連した他の描画性を含むことができる。マーキング装置の特性を遡及的に適用することができる（１３２６）。本発明のいくつかの実施形態では、特性の変更を、マーキング装置が連続して作動する現在の期間中に作成されたデジタルマークに遡及的に適用することができる。他の実施形態では、マーキング装置の特性を、例えば、現在のユーザに関連する期間、マーキング色に関連する期間、箇条書きや番号付きリスト等のマーキングパターンおよび他のマーキングパターンに関連する期間等、他の期間中に作成されたデジタルマークに遡及的に適用することができる。
【００５５】
（実施形態８）
図１４に関連して記載された本発明のいくつかの実施形態は、デジタル・マーキング装置の特性を設定するための方法（１４００）を含むことができる。マーキング装置が作動しているか否かを判定するためにマーキング装置の作動ステップ（１４０２）を実施することができる。マーキング装置が作動していない場合（１４０４）、この方法によりマーキング装置の作動の監視（１４０２）を継続できる。マーキング装置が作動している場合（１４０６）、描画コンテキスト・タッチジェスチャ近接領域インジケータを表示できる（１４０８）。デジタル書き込みサーフェスにおいてタッチジェスチャが実行されたか否かを判定するためにタッチジェスチャ検知ステップ（１４１０）を実施することができる。タッチジェスチャが検知されない場合（１４１２）、この方法でマーキング装置の作動の監視（１４０２）を継続できる。タッチジェスチャが検知された場合（１４１４）、タッチジェスチャの位置の判定を行うことができる（１４１６）。タッチジェスチャがマーキング装置の作動ポイントに関連した近接領域内にない場合（１４１８）、検知されたタッチジェスチャは、非描画コンテキストに従って解釈され（１４２０）、例えば、画像の両端をタッチしてドラッグすることはサイズ変更ジェスチャと解釈可能であり、１本指でのドラッグは移動のジェスチャおよびマーキング装置に関連しない動きに関する他のタッチジェスチャと解釈され得る。この方法でマーキング装置の作動の監視を継続できる（１４０２）。タッチジェスチャが近接領域内にある場合（１４２２）、検知されたタッチジェスチャが、有効な描画コンテキスト・タッチジェスチャであるかどうかを判定するために、描画コンテキスト・タッチジェスチャ有効性チェック（１４２４）を行うことができる。有効性チェック（１４２４）は、受信したタッチジェスチャと有効なジェスチャのライブラリとの比較を含むことができ、タッチジェスチャに関連した特性変更が現在のマーキング装置に対応しているかどうかの判定を含むことができ、または、有効な描画コンテキスト・タッチジェスチャの識別に関連した他の機能を含むことができる。タッチジェスチャが、有効な描画コンテキスト・タッチジェスチャではない場合（１４２６）、この方法でマーキング装置の作動の監視（１４０２）を継続できる。タッチジェスチャが、有効な描画コンテキスト・タッチジェスチャである場合（１４２８）、描画コンテキストに従ってタッチジェスチャを解釈できる（１４３０）。タッチジェスチャに関連したマーキング装置の特性を設定することができる（１４３２）。マーキング装置の特性の例は、線幅、線種、線色、色塗りつぶし、パターン塗りつぶし、縁の種類、不透明度、およびマーキング装置に関連した他の描画性を含むことができる。この方法でマーキング装置の作動の監視（１４０２）を継続できる。
【００５６】
（実施形態９）
図１５に関連して記載された本発明のいくつかの実施形態は、デジタル・マーキング装置の特性を設定するための方法（１５００）を含むことができる。マーキング装置が作動しているか否かを判定するために、マーキング装置の作動ステップ（１５０２）を実施することができる。マーキング装置が作動していない場合（１５０４）、この方法でマーキング装置の作動の監視（１５０２）を継続できる。マーキング装置が作動している場合（１５０６）、描画コンテキスト・タッチジェスチャ近接領域インジケータを表示できる（１５０８）。デジタル書き込みサーフェス上でタッチジェスチャが実行されたか否かを判定するためにタッチジェスチャ検知ステップ（１５１０）を実施することができる。タッチジェスチャが検知されない場合（１５１２）、この方法でマーキング装置の作動の監視（１５０２）を継続できる。タッチジェスチャが検知された場合（１５１４）、タッチジェスチャの位置の判定を行うことができる（１５１６）。タッチジェスチャがマーキング装置の作動ポイントに関連した近接領域内にない場合（１５１８）、検知されたタッチジェスチャは、非描画コンテキストに従って解釈可能であり（１５２０）、例えば、画像の両端をタッチしてドラッグすることはサイズ変更ジェスチャと解釈され、１本指でのドラッグは移動のジェスチャおよびマーキング装置に関連しない動きに関する他のタッチジェスチャと解釈され得る。この方法でマーキング装置の作動の監視（１５０２）を継続できる。タッチジェスチャが近接領域内にある場合（１５２２）、検知されたタッチジェスチャが、有効な描画コンテキスト・タッチジェスチャであるかどうかを判定するために、描画コンテキスト・タッチジェスチャ有効性チェック（１５２４）を行うことができる。有効性チェック（１５２４）は、受信したタッチジェスチャと有効なジェスチャのライブラリとの比較を含むことができ、タッチジェスチャに関連した特性変更が現在のマーキング装置に対応しているかどうかの判定を含むことができ、または、有効な描画コンテキスト・タッチジェスチャの識別に関連した他の機能を含むことができる。タッチジェスチャが、有効な描画コンテキスト・タッチジェスチャではない場合（１５２６）、この方法でマーキング装置の作動の監視（１５０２）を継続できる。タッチジェスチャが、有効な描画コンテキスト・タッチジェスチャである場合（１５２８）、描画コンテキストに従ってタッチジェスチャを解釈できる（１５３０）。タッチジェスチャに関連したマーキング装置の特性を設定することができる（１５３２）。マーキング装置の特性の例は、線幅、線種、線色、色塗りつぶし、パターン塗りつぶし、縁の種類、不透明度、およびマーキング装置に関連した他の描画性を含むことができる。マーキング装置の特性を遡及的に適用することができる（１５３４）。本発明のいくつかの実施形態では、特性の変更を、マーキング装置が連続して作動している現在の期間中に作成されたデジタルマークに遡及的に適用することができる。他の実施形態では、マーキング装置の特性を、例えば、現在のユーザに関連する期間、マーキング色に関連する期間、箇条書きや番号付きリスト等のマーキングパターンおよび他のマーキングパターンに関連する期間等、他の期間中に作成されたデジタルマークに遡及的に適用することができる。この方法でマーキング装置の作動の監視（１５０２）を継続できる。
【００５７】
（実施形態１０）
図１６Ａおよび図１６Ｂに関連して記載された本発明のいくつかの実施形態は、デジタル・マーキング装置の特性を設定するための方法（１６００）を含むことができる。マーキング装置が作動しているか否かを判定するために、マーキング装置の作動ステップ（１６０２）を実施することができる。マーキング装置が作動していない場合（１６０４）、この方法でマーキング装置の作動の監視（１６０２）を継続できる。マーキング装置が作動している場合（１６０６）、描画コンテキスト・タッチジェスチャ近接領域インジケータを表示できる（１６０８）。デジタル書き込みサーフェス上でタッチコンタクトが行われたか否かを判定するためにタッチコンタクト検知ステップ（１６１０）を実施することができる。タッチコンタクトが検知されない場合（１６１２）、この方法でマーキング装置の作動の監視（１６０２）を継続できる。タッチコンタクトが検知された場合（１６１４）、タッチコンタクトの位置の判定を行うことができる（１６１６）。タッチコンタクトがマーキング装置の作動ポイントに関連した近接領域内にない場合（１６１８）、デジタル書き込みサーフェス上でタッチジェスチャが実行されたか否かを判定するために、タッチジェスチャ検知ステップ（１６２０）を実施することができる。タッチジェスチャが検知されない場合（１６２２）、この方法でマーキング装置の作動の監視（１６０２）を継続できる。タッチジェスチャが検知された場合（１６２４）、検知されたタッチジェスチャは、非描画コンテキストに従って解釈可能であり（１６２６）、例えば、画像の両端をタッチしてドラッグすることはサイズ変更ジェスチャと解釈され、１本指でのドラッグは移動のジェスチャおよびデジタル・マーキング装置に関連しない動きに関する他のタッチジェスチャと解釈され得る。この方法でマーキング装置の作動の監視（１６０２）を継続できる。タッチコンタクトがマーキング装置の作動ポイントに関連した近接領域内にある場合（１６２８）、インジケータを修正、例えば、描画コンテキスト・タッチジェスチャ近接領域の視覚フィードバックを提供することができ（１６３０）、デジタル書き込みサーフェス上でタッチジェスチャが実行されたか否かを判定するためにタッチジェスチャ検知ステップ（１６３２）を実施することができる。タッチジェスチャが検知されない場合（１６３４）、この方法でマーキング装置の作動の監視（１６０２）を継続できる。タッチジェスチャが検知されると（１６３６）、検知されたタッチジェスチャが、有効な描画コンテキスト・タッチジェスチャであるかどうかを判定するために、描画コンテキスト・タッチジェスチャ有効性チェック（１６３８）を行うことができる。有効性チェック（１６３８）は、受信したタッチジェスチャと有効なジェスチャのライブラリとの比較を含むことができ、タッチジェスチャに関連した特性変更が現在のマーキング装置に対応しているかどうかの判定を含むことができ、または、有効な描画コンテキスト・タッチジェスチャの識別に関連した他の機能を含むことができる。タッチジェスチャが、有効な描画コンテキスト・タッチジェスチャではない場合（１６４０）、この方法でマーキング装置の作動の監視（１６０２）を継続できる。タッチジェスチャが、有効な描画コンテキスト・タッチジェスチャである場合（１６４２）、描画コンテキストに従ってタッチジェスチャを解釈できる（１６４４）。タッチジェスチャに関連したマーキング装置の特性を設定することができる（１６４６）。マーキング装置の特性の例は、線幅、線種、線色、色塗りつぶし、パターン塗りつぶし、縁の種類、不透明度、およびインジケータの修正のような、マーキング装置に関連した他の描画性を含むことができる。この方法でマーキング装置の作動の監視（１６０２）を継続できる。
【００５８】
（実施形態１１）
図１７Ａおよび図１７Ｂに関連して記載された本発明のいくつかの実施形態は、デジタル・マーキング装置の特性を設定するための方法（１７００）を含むことができる。マーキング装置が作動しているか否かを判定するために、マーキング装置の作動ステップ（１７０２）を実施することができる。マーキング装置が作動していない場合（１７０４）、この方法でマーキング装置の作動の監視（１７０２）を継続できる。マーキング装置が作動している場合（１７０６）、描画コンテキスト・タッチジェスチャ近接領域インジケータを表示できる（１７０８）。デジタル書き込みサーフェス上でタッチコンタクトが行われたか否かを判定するためにタッチコンタクト検知ステップ（１７１０）を実施することができる。タッチコンタクトが検知されない場合（１７１２）、この方法でデジタル・マーキング装置の作動の監視（１７０２）を継続できる。タッチコンタクトが検知された場合（１７１４）、タッチコンタクトの位置の判定を行うことができる（１７１６）。タッチコンタクトがマーキング装置の作動ポイントに関連した近接領域内にない場合（１７１８）、デジタル書き込みサーフェス上でタッチジェスチャが実行されたか否かを判定するために、タッチジェスチャ検知ステップ（１７２０）を実施することができる。タッチジェスチャが検知されない場合（１７２２）、この方法でマーキング装置の作動の監視（１７０２）を継続できる。タッチジェスチャが検知された場合（１７２４）、検知されたタッチジェスチャは、非描画コンテキストに従って解釈可能であり（１７２６）、例えば、画像の両端をタッチしてドラッグすることはサイズ変更ジェスチャと解釈され、１本指でのドラッグは移動のジェスチャおよびデジタル・マーキング装置に関連しない動きに関する他のタッチジェスチャと解釈され得る。この方法でデジタル・マーキング装置の作動の監視（１７０２）を継続できる。タッチコンタクトがマーキング装置の作動ポイントに関連した近接領域内にある場合（１７２８）、描画コンテキスト・タッチジェスチャ近接領域の視覚フィードバックを提供することができ（１７３０）、デジタル書き込みサーフェス上でタッチジェスチャが実行されたか否かを判定するためにタッチジェスチャ検知ステップ（１７３２）を実施することができる。タッチジェスチャが検知されない場合（１７３４）、この方法でマーキング装置の作動の監視（１７０２）を継続できる。タッチジェスチャが検知されると（１７３６）、検知されたタッチジェスチャが、有効な描画コンテキスト・タッチジェスチャであるかどうかを判定するために、描画コンテキスト・タッチジェスチャ有効性チェック（１７３８）を行うことができる。有効性チェック（１７３８）は、受信したタッチジェスチャと有効なジェスチャのライブラリとの比較を含むことができ、タッチジェスチャに関連した特性変更が現在のマーキング装置に対応しているかどうかの判定を含むことができ、または、有効な描画コンテキスト・タッチジェスチャの識別に関連した他の機能を含むことができる。タッチジェスチャが、有効な描画コンテキスト・タッチジェスチャではない場合（１７４０）、この方法でマーキング装置の作動の監視（１７０２）を継続できる。タッチジェスチャが、有効な描画コンテキスト・タッチジェスチャである場合（１７４２）、描画コンテキストに従ってタッチジェスチャを解釈できる（１７４４）。タッチジェスチャに関連したマーキング装置の特性を設定することができる（１７４６）。マーキング装置の特性の例は、線幅、線種、線色、色塗りつぶし、パターン塗りつぶし、縁の種類、不透明度、およびマーキング装置に関連した他の描画性を含むことができる。マーキング装置の特性を遡及的に適用することができる（１７４８）。本発明のいくつかの実施形態では、特性の変更を、マーキング装置が連続して作動している現在の期間中に作成されたデジタルマークに遡及的に適用することができる。他の実施形態では、マーキング装置の特性を、例えば、現在のユーザに関連する期間、マーキング色に関連する期間、箇条書きや番号付きリスト等のマーキングパターンおよび他のマーキングパターンに関連する期間等、他の期間中に作成されたデジタルマークに遡及的に適用することができる。この方法でマーキング装置の作動の監視（１７０２）を継続できる。
【００５９】
（実施形態１２）
図１８Ａおよび図１８Ｂに関連して記載された本発明のいくつかの実施形態は、デジタル・マーキング装置の特性を設定するための方法（１８００）を含むことができる。マーキング装置が作動しているか否かを判定するために、マーキング装置の作動ステップ（１８０２）を実施することができる。マーキング装置が作動していない場合（１８０４）、この方法でマーキング装置の作動の監視（１８０２）を継続できる。マーキング装置が作動している場合（１８０６）、描画コンテキスト・タッチジェスチャ近接領域インジケータを表示できる（１８０８）。デジタル書き込みサーフェス上でタッチコンタクトが行われたか否かを判定するためにタッチコンタクト検知ステップ（１８１０）を実施することができる。タッチコンタクトが検知されない場合（１８１２）、この方法でマーキング装置の作動の監視（１８０２）を継続できる。タッチコンタクトが検知された場合（１８１４）、タッチコンタクトの位置の判定を行うことができる（１８１６）。タッチコンタクトがマーキング装置の作動ポイントに関連した近接領域内にない場合（１８１８）、デジタル書き込みサーフェス上でタッチジェスチャが実行されたか否かを判定するために、タッチジェスチャ検知ステップ（１８２０）を実施することができる。タッチジェスチャが検知されない場合（１８２２）、この方法でマーキング装置の作動の監視（１８０２）を継続できる。タッチジェスチャが検知された場合（１８２４）、検知されたタッチジェスチャは、非描画コンテキストに従って解釈可能であり（１８２６）、例えば、画像の両端をタッチしてドラッグすることはサイズ変更ジェスチャと解釈され、１本指でのドラッグは移動のジェスチャおよびマーキング装置に関連しない動きに関する他のタッチジェスチャと解釈され得る。この方法でマーキング装置の作動の監視（１８０２）を継続できる。タッチコンタクトがマーキング装置の作動ポイントに関連した近接領域内にある場合（１８２８）、描画コンテキスト・タッチジェスチャ近接領域の視覚フィードバックを提供することができ（１８３０）、デジタル書き込みサーフェス上でタッチジェスチャが実行されたか否かを判定するためにタッチジェスチャ検知ステップ（１８３２）を実施することができる。タッチジェスチャが検知されない場合（１８３４）、この方法でマーキング装置の作動の監視（１８０２）を継続できる。タッチジェスチャが検知されると（１８３６）、描画コンテキスト・タッチジェスチャ近接領域の視覚フィードバックを提供することができ（１８３８）、検知されたタッチジェスチャが、有効な描画コンテキスト・タッチジェスチャであるかどうかを判定するために、描画コンテキスト・タッチジェスチャ有効性チェック（１８４０）を行うことができる。有効性チェック（１８４０）は、受信したタッチジェスチャと有効なジェスチャのライブラリとの比較を含むことができ、タッチジェスチャに関連した特性変更が現在のマーキング装置に対応しているかどうかの判定を含むことができ、または、有効な描画コンテキスト・タッチジェスチャの識別に関連した他の機能を含むことができる。タッチジェスチャが、有効な描画コンテキスト・タッチジェスチャではない場合（１８４２）、この方法でマーキング装置の作動の監視（１８０２）を継続できる。タッチジェスチャが、有効な描画コンテキスト・タッチジェスチャである場合（１８４４）、描画コンテキストに従ってタッチジェスチャを解釈できる（１８４６）。タッチジェスチャに関連したマーキング装置の特性を設定することができる（１８４８）。マーキング装置の特性の例は、線幅、線種、線色、色塗りつぶし、パターン塗りつぶし、縁の種類、不透明度、およびデジタル・マーキング装置に関連した他の描画性を含むことができる。この方法でマーキング装置の作動の監視（１８０２）を継続できる。
【００６０】
（実施形態１３）
図１９Ａおよび図１９Ｂに関連して記載された本発明のいくつかの実施形態は、デジタル・マーキング装置の特性を設定するための方法（１９００）を含むことができる。マーキング装置が作動しているか否かを判定するために、マーキング装置の作動ステップ（１９０２）を実施することができる。マーキング装置が作動していない場合（１９０４）、この方法でマーキング装置の作動の監視（１９０２）を継続できる。マーキング装置が作動している場合（１９０６）、描画コンテキスト・タッチジェスチャ近接領域インジケータを表示できる（１９０８）。デジタル書き込みサーフェス上でタッチコンタクトが行われたか否かを判定するためにタッチコンタクト検知ステップ１９１０を実施することができる。タッチコンタクトが検知されない場合（１９１２）、この方法でマーキング装置の作動の監視（１９０２）を継続できる。タッチコンタクトが検知された場合（１９１４）、タッチコンタクトの位置の判定を行うことができる（１９１６）。タッチコンタクトがデジタル・マーキング装置の作動ポイントに関連した近接領域内にない場合（１９１８）、デジタル書き込みサーフェス上でタッチジェスチャが実行されたか否かを判定するために、タッチジェスチャ検知ステップ（１９２０）を実施することができる。タッチジェスチャが検知されない場合（１９２２）、この方法でマーキング装置の作動の監視（１９０２）を継続できる。タッチジェスチャが検知された場合（１９２４）、検知されたタッチジェスチャは、非描画コンテキストに従って解釈可能であり（１９２６）、例えば、画像の両端をタッチしてドラッグすることはサイズ変更ジェスチャと解釈され、１本指でのドラッグは移動のジェスチャおよびマーキング装置に関連しない動きに関する他のタッチジェスチャと解釈され得る。この方法でマーキング装置の作動の監視（１９０２）を継続できる。タッチコンタクトがマーキング装置の作動ポイントに関連した近接領域内にある場合（１９２８）、描画コンテキスト・タッチジェスチャ近接領域の視覚フィードバックを提供することができ（１９３０）、デジタル書き込みサーフェス上でタッチジェスチャが実行されたか否かを判定するためにタッチジェスチャ検知ステップ（１９３２）を実施することができる。タッチジェスチャが検知されない場合（１９３４）、この方法でマーキング装置の作動の監視（１９０２）を継続できる。タッチジェスチャが検知されると（１９３６）、描画コンテキスト・タッチジェスチャ近接領域の視覚フィードバックを提供することができ（１９３８）、検知されたタッチジェスチャが、有効な描画コンテキスト・タッチジェスチャであるかどうかを判定するために、描画コンテキスト・タッチジェスチャ有効性チェック（１９４０）を行うことができる。有効性チェック（１９４０）は、受信したタッチジェスチャと有効なジェスチャのライブラリとの比較を含むことができ、タッチジェスチャに関連した特性変更が現在のマーキング装置に対応しているかどうかの判定を含むことができ、または、有効な描画コンテキスト・タッチジェスチャの識別に関連した他の機能を含むことができる。タッチジェスチャが、有効な描画コンテキスト・タッチジェスチャではない場合（１９４２）、この方法でマーキング装置の作動の監視（１９０２）を継続できる。タッチジェスチャが、有効な描画コンテキスト・タッチジェスチャである場合（１９４４）、描画コンテキストに従ってタッチジェスチャを解釈できる（１９４６）。タッチジェスチャに関連したマーキング装置の特性を設定することができる（１９４８）。マーキング装置の特性の例は、線幅、線種、線色、色塗りつぶし、パターン塗りつぶし、縁の種類、不透明度、およびマーキング装置に関連した他の描画性を含むことができる。マーキング装置の特性を遡及的に適用することができる（１９５０）。本発明のいくつかの実施形態では、特性の変更を、マーキング装置が連続して作動している現在の期間中に作成されたデジタルマークに遡及的に適用することができる。他の実施形態では、マーキング装置の特性を、例えば、現在のユーザに関連する期間、マーキング色に関連する期間、箇条書きや番号付きリスト等のマーキングパターンおよび他のマーキングパターンに関連する期間等、他の期間中に作成されたデジタルマークに遡及的に適用することができる。この方法でマーキング装置の作動の監視（１９０２）を継続できる。
【００６１】
本発明のいくつかの実施形態は、本願に記載の特徴および方法のいずれかを実施するためのコンピューティング・システムをプログラムするために使用し得る命令を記憶したコンピュータ読み取り可能な記憶媒体を備えたコンピュータプログラム製品を含むことができる。コンピュータ読み取り可能な記憶媒体の例として、フラッシュメモリ装置、例えば、フロッピーディスク（フロッピー：登録商標）、光ディスク、光磁気ディスク、デジタル多用途ディスク（ＤＶＤ）、コンパクトディスク（ＣＤ）、マイクロドライブおよび他のディスク記憶媒体、読み出し専用メモリ（ＲＯＭ）、プログラム可能読み出し専用メモリ（ＰＲＯＭ）、消去プログラム可能読み出し専用メモリ（ＥＰＲＯＭ）、電気的消去プログラム可能読み出し専用メモリ（ＥＥＰＲＯＭ）、ランダム・アクセス・メモリ（ＲＡＭ）、ビデオ・ランダム・アクセス・メモリ（ＶＲＡＭ）、ダイナミック・ランダム・アクセス・メモリ（ＤＲＡＭ）や、命令および／またはデータを記憶するのに適したあらゆる種類の媒体または装置が挙げられるが、これらに限定されるものではない。
【００６２】
以上、本願において用いられている用語および表現は、説明のための用語として用いられており、何ら限定を伴うものではない。かかる用語および表現の使用において、本願に示されかつ記載された特徴またはその一部の均等物を除外することを意図するものではない。本発明の範囲は、続く特許請求の範囲によってのみ定義され限定されるものとする。
【００６３】
以上、実施例について説明したが、本発明は、（１）デジタル・マーキング装置に関連する特性を設定するための方法であって、デジタル・マーキング・サーフェスと併せたデジタル・マーキング装置のデジタル・マーキング装置作動の検知、および第１のタッチジェスチャの検知は、前記デジタル・マーキング装置作動および前記第１のタッチジェスチャを同時に行い、描画コンテキストに従って前記第１のタッチジェスチャを解釈し、および、前記第１のタッチジェスチャの前記解釈に応じて、前記デジタル・マーキング装置に関連する特性を設定することを含む。
【００６４】
また、（２）前記特性は、マークの色、マークの不透明度、マークの濃さ、線種、マークの透明度、色塗りつぶし、パターン塗りつぶし、縁の種類、およびマークの消去からなるグループから選択される。
また、（３）前記特性を、前記デジタル・マーキング・サーフェス上の第１のデジタルマークに適用することをさらに含む。さらに、（４）前記第１のデジタルマークが、前記検知する前に前記デジタル・マーキング・サーフェス上に存在している。あるいは、（５）前記第１のデジタルマークが、前記検知した後で前記デジタル・マーキング・サーフェス上に作成される。
【００６５】
また、（６）前記デジタル・マーキング・サーフェスが、デジタル・ホワイトボード、サーフェイス・コンピュータおよびタブレット・コンピューティング装置からなるグループから選択された装置に関連する。
また、（７）第２のタッチジェスチャの検知であって、デジタル・マーキング装置が、前記第２のタッチジェスチャの前記検知と同時には作動せず、非描画コンテキストに従って前記第２のタッチジェスチャを解釈することをさらに含む。
【００６６】
もしくは、（８）デジタル・マーキング装置に関連する特性を設定するための方法であって、デジタル・マーキング・サーフェスと併せたデジタル・マーキング装置のデジタル・マーキング装置作動を検知し、前記デジタル・マーキング・サーフェス上に、描画コンテキスト・タッチジェスチャ近接領域インジケータを表示し、前記デジタル・マーキング装置が前記デジタル・マーキング・サーフェスと併せて作動したままでの、第１のタッチジェスチャの検知であって、前記第１のタッチジェスチャを、前記描画コンテキスト・タッチジェスチャ近接領域インジケータに関連する描画コンテキスト・タッチジェスチャ近接領域内で検知し、描画コンテキストに従って前記第１のタッチジェスチャを解釈し、および、前記第１のタッチジェスチャの前記解釈に応じて、前記デジタル・マーキング装置に関連する特性を設定することを含む。
【００６７】
また、（９）前記特性は、マークの色、マークの不透明度、マークの濃さ、線種、マークの透明度、色塗りつぶし、パターン塗りつぶし、縁の種類、およびマークの消去からなるグループから選択される。
また、（１０）前記特性を、前記デジタル・マーキング・サーフェス上の第１のデジタルマークに適用することをさらに含む。さらに、（１１）前記第１のデジタルマークが、前記第１のタッチジェスチャを前記検知する前に前記デジタル・マーキング・サーフェス上に存在している。あるいは、（１２）前記第１のデジタルマークが、前記第１のタッチジェスチャを前記検知した後で前記デジタル・マーキング・サーフェス上に作成される。
【００６８】
また、（１３）前記デジタル・マーキング・サーフェスが、デジタル・ホワイトボード、サーフェイス・コンピュータおよびタブレット・コンピューティング装置からなるグループから選択された装置に関連する。
また、（１４）第２のタッチジェスチャの検知であって、デジタル・マーキング装置が、前記第２のタッチジェスチャの前記検知と同時には作動せず、非描画コンテキストに従って前記第２のタッチジェスチャを解釈することをさらに含む。
【００６９】
また、（１５）前記描画コンテキスト・タッチジェスチャ近接領域インジケータは、前記描画コンテキスト・タッチジェスチャ近接領域の周辺を示す。さらに、（１６）前記描画コンテキスト・タッチジェスチャ近接領域は、デジタル・マーキング装置の作動ポイントを中心とする円形領域である。あるいは、（１７）前記描画コンテキスト・タッチジェスチャ近接領域は、１組のデジタルマークと前記デジタル・マーキング装置の作動ポイントを包含する多角形の閉じた領域である。
【００７０】
また、（１８）第１のタッチコンタクトの検知であって、前記第１のタッチコンタクトは、前記描画コンテキスト・タッチジェスチャ近接領域内にあり、前記第１のタッチコンタクトの前記検知に応じて、前記描画コンテキスト・タッチジェスチャ近接領域インジケータを修正することをさらに含む。さらに、（１９）前記第１のタッチジェスチャの検知に応じて、前記修正された描画コンテキスト・タッチジェスチャ近接領域インジケータを修正することをさらに含む。
【００７１】
また、（２０）前記第１のタッチジェスチャの検知に応じて、前記描画コンテキスト・タッチジェスチャ近接領域インジケータを修正することをさらに含む。
【００７２】
もしくは、（２１）デジタル・マーキング装置に関連する特性を設定するための方法であって、デジタル・マーキング・サーフェスと併せたデジタル・マーキング装置のデジタル・マーキング装置作動を検知し、前記デジタル・マーキング・サーフェス上に、描画コンテキスト・タッチジェスチャ近接領域に関連する描画コンテキスト・タッチジェスチャ近接領域インジケータを表示し、前記デジタル・マーキング装置が前記デジタル・マーキング・サーフェスと併せて作動したままで、第１のタッチコンタクトを検知し、前記第１のタッチコンタクトが前記描画コンテキスト・タッチジェスチャ近接領域内に位置する場合に、前記描画コンテキスト・タッチジェスチャ近接領域インジケータを修正し、前記デジタル・マーキング装置が前記デジタル・マーキング・サーフェスと併せて作動したままで、第１のタッチジェスチャを検知し、および、前記第１のタッチジェスチャが前記描画コンテキスト・タッチジェスチャ近接領域内に位置する場合には、前記修正された描画コンテキスト・タッチジェスチャ近接領域インジケータを修正し、前記第１のタッチジェスチャが有効な描画コンテキスト・タッチジェスチャであるかどうかを判定し、前記第１のタッチジェスチャが有効な描画コンテキスト・タッチジェスチャである場合、描画コンテキストに従って前記第１のタッチジェスチャを解釈し、および、前記第１のタッチジェスチャの前記解釈に応じて、前記デジタル・マーキング装置に関連する特性を設定することを含む。
【符号の説明】
【００７３】
１００…デジタル・マーキング・サーフェス・システム、１０２，４０６…デジタル・マーキング・サーフェス、１０４…デジタル・マーキング・サーフェス・システム・コントローラ、１０６…デジタル・マーキング・サーフェス電子装置、１０８…電源、１１０…コントローラメモリ、１１２…コントローラプロセッサ、１１４…デジタル／アナログ変換器（ＤＡＣ）、１１６…プロセッサ、１１８…アプリケーションメモリ、１２０…コンピューティング装置、１２２…システムメモリ、１２４…ＲＯＭ、１２６…ＲＡＭ、１２８…基本入出力システム（ＢＩＯＳ）、１３０…システムバス、１３２…データ記憶装置、１３４…コンピュータ読み取り可能な媒体、１３６…データ記憶装置インタフェース、１３８…入力装置、１４０…インタフェース、１４２…ディスプレイ、１４４…ビデオアダプタ、１４６…ネットワーク・インタフェース、２０２，４０２…デジタル・マーキング装置、２０４，２０６，４０４…デジタルマーク、３０２，４１０…デジタル・マーキング装置の作動ポイント、３０４，３０６，５０２…タッチジェスチャの最初の接触位置、３０８，４０８…描画コンテキスト・タッチジェスチャ近接領域、４１２，５０４，６０２…描画コンテキスト・タッチジェスチャ近接領域インジケータ、６０４…タッチパッド・エミュレータ。
【図１】
2014063488.tif 000003
【図２】
2014063488.tif 000004
【図３】
2014063488.tif 000005
【図４】
2014063488.tif 000006
【図５】
2014063488.tif 000007
【図６】
2014063488.tif 000008
【図７】
2014063488.tif 000009
【図８】
2014063488.tif 000010
【図９】
2014063488.tif 000011
【図１０】
2014063488.tif 000012
【図１１】
2014063488.tif 000013
【図１２】
2014063488.tif 000014
【図１３】
2014063488.tif 000015
【図１４】
2014063488.tif 000016
【図１５】
2014063488.tif 000017
【図１６Ａ】
2014063488.tif 000018
【図１６Ｂ】
2014063488.tif 000019
【図１７Ａ】
2014063488.tif 000020
【図１７Ｂ】
2014063488.tif 000021
【図１８Ａ】
2014063488.tif 000022
【図１８Ｂ】
2014063488.tif 000023
【図１９Ａ】
2014063488.tif 000024
【図１９Ｂ】
2014063488.tif 000025